(57)【要約】      （修正有）【課題】シーソーを利用し、高度な技巧で定期的に音を出し、熊の寄せ付けを防止する熊寄付防止自動定期音響装置機械を提供する。【解決手段】熊寄付防止自動定期音響装置機械は、中心となる支点とバケツをぶら下げている地点と反対側の叩き棒を待機している地点とからなるシーソーを設け、前記シーソーの上部に前記シーソーのバケツに水を注入するためのタンク状の溶水器を設け、前記シーソーの下方に溶水器からの注水により回転してきたバケツをひっくり返す地点を設けると共に前記シーソーの上方にバケツの回転により反対側の前記叩き棒が叩くマンホール蓋を設けて前記シーソーのの回転により定期的に前記叩き棒で前記マンホール蓋を叩くように構成し、そして前記シーソーの周囲を風から守る防護柵を設け、更にに全体を作業小屋の外囲いで覆ったものである。【選択図】図１０
0003137823.tif 000002
【実用新案登録請求の範囲】
【請求項１】
シーソーなる遊具を利用し、それを遥かに超えたバランスを利用して人が最初と最後作業を面倒見ると一日何時間でも自動的に作業すると言う画期的な発明と言えるでしょう。最初と最後と言うのは、一年中明るい時間と暗い時間が一定でない事です。その為、その時期に依って夜明けと日没が変るから音を出す時間も異なるから、その時々に合わせて水を汲み上げたり止めたりする人、いわば管理人と言いましょうか、作業開始が最初です。作業終了は水を止め電気の引いてある地域は消灯し、ハンドマイクのスイッチを切る事です。若し運悪くして電気の引く事の出来ない地域にも、頭に電池をつけた灯さえ備えればそれでもこの機械は稼動する事も可能と成って居ります。今や町まで出れば単１から単４までアルカリ電池は簡単に買えます。只此の機械を設置したら軽トラックに発動機付ポンプを持って汲み上げるのも仕事に成って居ります。何れにせよ、熊は冬眠する動物ですので冬期間はお休みと成ります。管理する人も一人ではなく二人居て、時々交代する様にした方が望ましいと思われます。
実の処、昨年度のニュースで全国で一年間、熊の出没件数が６５００回、その内被害に合った人３８７人。３８７人の中には死亡した人もたくさんいると聞いて居ります。一人でも人の生命は尊いものです。一人でも救ってあげたい、その信念で此の機械の発明に私を動かせました。２４年振り私の３回目の特許へとニュースが動かせました。あの世に近い年ですが、此の世の最後の置きみやげにしたいと思って頑張りました。此の秋７２才に成りますが何卒宜敷くお願い申し上げます。
【考案の詳細な説明】
図面１Ｐの〔図１〕まだ始動していない待機図、Ａ地点支点、Ｂ地点バケツをぶらさげている地点、Ｃ地点水平より少し下げて着地し、次の作業に入る迄、待機している地点。Ｄ図面４Ｐの溶水器より水がＤのバケツに注入される仕組みになっている。Ｅ図面２の様にＤのバケツに一定量が入ると、Ｂ地点とＤに当るバケツも円を描いて下っていくと同時にＣ地点からＨ１の叩き棒が円を描き乍らＧのマンホールの蓋にぶつかる様な仕組みになっている。Ｇに当った時を同じくしてＥ地点ではバケツがひっくり返り水が排水されてバケツが軽くなる。バケツが軽くなっても、本来はあくまでもシーソーそのものだから右地点と左地点は真中の支点に依ってバランスが均等に保たれている証明でもあるので一旦ＢとＤが下っている時はＨ１はＧ地点にあって戻る事が出来ない。このシステムも自分で作って自分で実験し初めて知り得た発見であり、Ｈ１の叩き棒の下に鉄の重りを取り付け、又元の始動前の体勢に戻り、それを一日中何回も何百回もくり返し作業して人が水を止めて本日の作業終りとなる仕組みとなります。
上段の６行目より物語りをスラスラと運ぶ様な恰好で書かないと判り難い点があるかなと思って書きましたが、読んでいる最中にひっかかる問題点があります。遅ればせ乍らそのひっかかるのが図面の２Ｐと３Ｐに書いてあります。
図の２が支点の部分を大きく書いてあります。市販されている台車の部品を用い、逆にしてタイヤを除外した状態に中心になる点線の部分に自分で作ったステンレス製の板金加工をしてシーソーの板にボルト締めしたものです。同じＰで図３はＢ地点より針金でぶら下っている四角のバケツです。此の四角のバケツは、とある商店から買い求めましたが、買った時は縦、横、深さ全部２３０ｍｍでした。図面４Ｐの溶水器より水を注入する由です。作業工程上やむなくその高さを７５ｍｍに限定する事が一番の好都合である事も何回も何回もの実験をして初めて知り得た事でした。縦、横、高さがオール２３０ｍｍだった箱鍋と呼ばせて頂こう。シーソーを利用した形態ではあくまでもバランスが第一の条件となります。排水時の事を考慮して箱鍋の深さを７５ｍｍと切断加工し、穴を開け、針金を通したら、箱鍋そのもののバランスが崩れている事に気付きました。こんな事も実験を得て初めてその発見を見ましたが、逆に言うとそんな危険な鍋は売っていないとも言えるでしょう。
図面の２Ｐの３図に書いてあるのは、箱鍋の図面ですが箱鍋そのもののバランスを取る為に点線のある断面図の様に両側に木で三角状の端から端まで全ねじで上下２段締め付けしてバランスを保って居ります。
図面の３Ｐの図の３は排水の時の図面ですが、箱鍋が傾向いた状態の図ですが、下の点線が水を捨て易くなっています。そして、一番戻り易い状態も実験で証明されました。Ｅのある場所も高さもそして位置関係も下の位置や高さも、そして３Ｐの図５にある様に下の地点から点線で排水口に流され、更に流された水は再利用される様に設計されてあります。そして図の５のＧにあたるケ所は本来は４ケ所あります。Ｐ１の図にもありますが、地面より出ている様子に書いてありますが、図の５のＨは地面の高さになりますがＧの各部分は地中よりコンクリートが示したものにアンカーボルトが断面的に書かれてありますが、コンクリートの上の部分は角材にアンカーボルトが入っている断面です。
４Ｐの図の５Ｒは溶水器の水を出したり止めたりする所です。同じＰのＯは溶水器で全部プラスチック製です。横が１３００ｍｍ、縦が８００ｍｍ、深さが７５０ｍｍで３５０Ｌ入ります。排水口は完全にねじ製でおよそ３０ｍｍ位の太さになっている為、そのままでは使用出来ません。配水される３０ｍｍの出口にもっと排水のスピードを遅らせる為に細く流れる仕組みのプラスチック製の排水出来る部品を取り付け、その場所に水の出口の停止と出る一つで両方可能な遮断機を取り付けなければなりません。それがＰ４の図の７にＲがその場所です。Ｓがゴムホース、Ｔがゴムホースの先端にもっと細いビニールホースを瞬間接着をつけ、挿入して更にスピードを落し、箱鍋に一回分作業する時間を３分２０秒に設定する。箱鍋には一回分１．５５Ｌ入れば作動する事になっている。
４Ｐと５Ｐに渡って図７−図８にまたがった形に書かれているＯはプラスチック製の水溶器です。横が１３００ｍｍあるのでわざとＫの柱よりもそしてＵの桁より外にはみ出して、そこには屋根より雨が降った際、いくらかでも溜る様な設計にしてあります。そんな事で５Ｐの図−８にはＱに該当する柱とＫの柱に繋がる筋かいもやって居ります。又各柱に当る足元には各々コンクリートが設置し重量にも耐える設計になって居ります。５Ｐ図８にＸは下桁４Ｐ〜５Ｐ図７〜図８にわたって水溶器が横長１３００ｍｍになって居ります。此の水溶器には最初から蓋がありません。設置した場合にはＶで示してある様に、鉄筋棒を縦横共に電気溶接し、その上に亜鉛した金網又は緑色な金網もあります。それなどをきちんと張り、いかなる事があっても子供又や老人など水槽に落ちたら危険になり、手遅れになると死亡につながります。排水された水は再利用する為、使い捨てのお風呂の水槽でもかまいませんが、１個又は２個取り付けても必ず水槽の蓋には上からは水が入る為、人が落ちない様に必ず鉄筋の電気溶接して、その上に落葉や其の他のゴミ等網をしないと危険になります。そして蓋には必ずチェーンで締めロックして、この機械を管理する人がその鍵を保管する様にしましょう。
図面６Ｐ図の９は溶水器の根足になるＫの柱地点よりＣ、Ｃ１方面を見た断面図です。断面図を書いて色々な符号の附いたケ所が登場して来ます。根足となるＺ通りＺ１通りは図面の４Ｐと５Ｐに書いてある図の７、図８に描いてあるＩＪＫＱ通りに交差する４ケ所のつまりＺ通りと交差する４ケ所には柱なる根足が入ります。無論Ｚ１通りも交差する地点４ケ所根足が立ちます。
６Ｐの図の９で細かくて判り難いがＣ１とＡ１は垂直に立ち、作業開始から終了迄百数十回と着地します。その度にＡ１とＣ１地点は強い衝撃を受けます。その為には、筋かいなるＦ１もＮ１も支える為のものです。４Ｐ５Ｐ６Ｐと図７から図９まで溶水器の各図が書いてありますが、何れの図にもＧ１と書かれている部所はコンクリートです。９図のＹと書いてあるのは断面ですが、図の１に該当するので遅ればせ乍ら追加する様な状態で、アンカーボルト入りのコンクリートを追加します。６Ｐの図の９Ｙ１は角材を示すものです。図の９にあるＩは柱です。上まで高くなっているのを示しております。その柱の上にＸなる下桁が一部分書かれてＸ１は束に当ります。Ｕ１は母屋に当ります。図の上に当りますが母屋とタルキの図が書かれて居りませんが、番線１０番のなまし線がほんの一部マンホールの蓋Ｇなるものに２０ｍｍ間隔の穴４個を通して曲げて結んで吊っている姿が充分ではありませんが描いています。一般の人に若し手に入る事が容易ならプロパンガスの入っている２０ｋｇ入りの容器はもっといい音が出ます。
図面６Ｐの図９のＧ２ですが、此のシーソーのでっかくて高度な要求が充たされなければ何の意味もありません。Ｇ２は此の機械があくまでも左右のバランスが生命です。少しの風や雨に依ってそのバランスが崩れるのを防ぐ為と振動に依って垂直に立っている形を維持する事に働くいわば防護柵です。でも上の方は音が出るので、その下あたりで止めてあります。更にそのＧ２を支える為にＮ１が数ケ所設けてあります。図面の３Ｐに図５図６と書かれてありますが、明細書の文を読み易くする為に順を追って書いたつもりですが忘れてならないのが、図面では３Ｐの図の５をもっと詳しく書いたのが、図面７Ｐ図の１０です。
図面の３Ｐ図６ではＤの箱鍋がひっくり返っている様子ですが、その前提が３Ｐの図の５には書かれておりません。その姿だけを書いてありますが、あくまでも紹介という形です。図面の７Ｐ図の１０は作業に入り図面３Ｐの図６に入るほんの少し手前の様子を描いたものです。Ｄの箱鍋がＥ地点に当っている様子ですが、これも皆各々計算され、何回も何回も実験された上で出来た位置関係や高さ、そして符号もＡＢＣでは書き切れなくなったので、日本語の符号を付けたのがナの符号が始まりです。斜めのナを取ってつけた符号です。Ｅ地点でＤが当った場所は、左の方よりＡ１とＣ１の方を意味します。その根元の板より８９ｍｍ下っております。Ａ１地点より右に６９０離れて３７ｍｍの板に支えられて、１８０ｍｍの上の方が少し斜めの板が立っています。Ｄがこの板に当る時はＤの底の半分より少し右に当る様に設計して実験済です。それに伴って、Ｄなる箱鍋を吊り下げている針金の太さ亜鉛引きの１０番線なめしで長さがＢ地点の板より箱鍋の穴まで２６５ｍｍになって折り曲げた穴の部分が１５ｍｍ折り返した長さが両方共１１５ｍｍになって居ります。箱鍋がひっくり返った時、その曲げた長さも何度も何度も実験の結果、一番都合が良い長さです。その箱鍋を吊り下げている針金も日本語で番線から得たバの符号を取り付けました。更に排水された水を再利用する為にＦ地点の下にハの符号の付いた排水設備なるパイプが日本語で排水のハの符号を取り付けました。図の１１は排水された水が再利用される為に取り付ける為の水槽です。符号はチと書いてありますが、Ｈの符号は地面の高さを表わしているから、殆んどが土の中に埋められています。その蓋にはやはり鉄筋を縦横電気溶接して亜鉛引きの金網をしっかりかぶせてその金網を何ケ所も縛り付ける様にする。子供や老人、又は水があるから動物が水を求めて来る可能性もあります。この埋められた水槽は一個でも二個でも構いません。しかも一度お風呂に使用された物でも構いません。只符号の名前が貯水出来ればいいので貯水のチと符号を付けました。
今まで図面は１Ｐから１１図まで符号を付けて書いて来ましたが、長さとか厚さとか太さとがその数字に殆んど書かれて居りません。忘れているのかと思われがちの状態の文章にしたのも私です。これからその数字を書きましょう。図面１Ｐの〔図の１〕のＡ１の柱はシーソーその長さのど真中の位置にあります。そのシーソーの少し分厚い板は厚さ３７ｍｍ、巾は１４０ｍｍ、長さは１８２０ｍｍになって居ります。此の図の１では余りにも板が細過ぎてうまく書けない部分が図面の２Ｐの図の３にＢ地点の板の先端にちょっと印のある部分、日本語でホと書かれている部分、板を少しでも軽くしたいのであらかじめ巾は１４０ｍｍと書いてあるその通りですが、Ｂ地点より箱鍋Ｄを吊り下げる時、箱鍋の巾も奥行も２３０ですので、１４０ｍｍは巾板では吊り下げるバの符号のある針金に負担が掛かります。そこで先端の両側に厚さが同じ補助板を取り付け、吊り下げる針金のバランスを作った板、つまりホと書いているのは補助板という事です。又図面の１Ｐ図の１に戻りますが、Ｃ１のシーソーの板が着地した場合のＣ１の地点ですが、実際はＣ地点の叩き棒の下にシャックルを取り付け、鉄の重りをぶらさげている図が図面の２Ｐの図４に書かれています。その為、着地点である図面１Ｐの図１に書いてあるＣ１の立っている棒は、上の板の端Ｃ地点の位置を１２０ｍｍＡ１寄りに立っている状態です。そして、シーソーが着地した際に少しでもショックを少なくしようとＣ地点の上の部分にはソフトなゴムを打ちつけてあります。図面１Ｐの図１で下の部分はやはり３７ｍｍの段差があって、詳しくは図面７Ｐ図の１０がもっと詳しい形になって居ります。下の地点は、およそ６０ｍｍ離れてナの符号が付いている斜め板が３０°になって居ります。バケツの水が排水しやすく、そしてすぐに戻り易い体勢になっているのですが、水がほんの少し残ります。それが功を奏して２回目から３分２０秒１回にバケツに入る水の量は１．５５Ｌ、１時間に１８回鐘を叩く事になります。３５０Ｌ入りの水溶器に満タンに水を入れた場合、およそ始動から１３時間は持つ計算にはなりますが、実際の処、私は自分の家にあった７５Ｌ入りの石油タンクを使用して実験しました。それは石油ストーブに実際取り付けるゴムホースも先端に取り付けるホースも簡単に手に入り易いので、それで実験を何回も何十回も出来ました。でも３５０Ｌ入れの水溶器は、実験には使用して居りません。何故なら排水するのに出る水の量を調節するには、やはり製造元にお願いして、その部品と水を止めたり出したりする装置も一緒に作って戴くしか手段はありません。私の考えでは水量が３５０Ｌ入る溶水器に満タンに入れた場合、水圧が変る筈です。ゴムホースと水を細くする装置を付けても中々圧力は変え難いものと思って居ります。従って満タンに入ったとすればもっと１回分の水の出が早くなり、ひょっとして１時間に１９回もしくは２０回叩く様な事になり、結果的には一日１２時間持つか１１時間半になる可能性も充分ある事に考えざるを得ません。文章をスムーズに書く都合もあって、又々図面に書いている長さとか高さの寸法の書くのが遅れて申し訳御座いません。図面１Ｐの図１ですが、Ａ１の柱の高さ、足元の横に四角い支���あって、その根元から８１０ｍｍです。３７ｍｍの台を乗せて台車についていたタイヤをはずし、逆に立っているもののセンターにステンレスの板を巻きつけてシーソーにボルト締めしている高さまでが２０５ｍｍとなっています。つまりＡ１全部の高さは下から８１０＋３７＋２０５＝１０５２ｍｍがＡ地点になります。Ｃ地点はそれより少し下った感で１０３２がその高さＣ１の全体の高さになります。続いて図面の６Ｐ図９になりますが、風を防ぐ防護柵の巾です。Ｇ２で示してありますが、箱鍋がスムーズに上下作業をするので巾２６０ｍｍ、つまりＧ２の左側とＧ２の右側の間が２６０ｍｍ必要という事です。図９は断面図でありますが、万一故障に備えて人がその場所に手が入る様に３ケ所位その様な小さな扉をつけてあります。それが図面の８Ｐ１２図になります。今度は鐘になりますが、図面６Ｐ図９になりますが、鐘はＧに当ります。まともに見えるのが９図になりますが、昨年から平成１９年の春頃まで町や村の半鐘があっちこっちと、たくさん盗まれているニュースを知り、余り上品な音とは縁遠いかも知れませんが、盗まれる％が極めて少ないと思い、又簡単に手に入り易い事でマンホールの蓋を番線で吊下げました。およそ直径が５００ｍｍ、厚さは１２ｍｍ位で重さは４５ｋｇあります。
図面の２Ｐ図４になりますが、符号がタになっているもの叩き棒のタです。内側４８０ｍｍ、外側の真中に角度をつけて折れて先端は鐘を叩く角度を合わせたものですが、外側は５２０ｍｍになっております。音にいい様に良質の杉の潅木を用い、何度も何度も実験済みですが、横から見た図でその太さは１００ｍｍ×先端で８０ｍｍとなって居ります。音を出して、又戻る為にその叩き棒の下のシャックルに鉄の重さＨ４個を吊り下げてあります。その重さ１個分が４１０ｇ×４＝１６４０ｇになり、シャックルの１個分が１７０ｇ、合計で１８１０ｇになります。つまり叩き棒図の４のタの符号のついているものも丁度１８１０ｇになります。図面の８Ｐ１２図は風を防ぐ為と上下作業の際の振動に依り垂直に立っているのを維持する為の支えでもありますが、作業に当ってその機械の故障時又はＡの部分の少し下に車のセンター部分ですが、時々油をつける為の扉でもあります。左の扉はやはり振動に依りソフトなゴムが減る事もあります。それは冬期間に取り替えが良いでしょう。各扉にコと符号が付いて居りますが、故障の為に開け閉めする、又は点検するという事です。
次に図面の９Ｐ１３図ですが、作業小屋の大きさを表したものです。建物の都合上、やむなく横書きに成りました。ここに登場したのがツの符号の付いた柱ですが、Ｋと言う柱とツという柱の外面と外面で２３０５ｍｍとなると、とても理想的な寸法と思って設計しました。建物の土台になる角材には要所要所Ｙ１アンカーボルトの位置が書かれてあります。
そして、屋根は片屋根スタイルで、符号は屋根のヤと成っています。片屋根スタイルはわざとはみ出しして、溶水器に雨が降った時、少しでも溜る様、そんな設計にしてあります。そして、外廻りは全部透明なタキロン貼りにして出入口は２ケ所、人が入れる様にした図面が図面の１０Ｐで図の１４になります。出入口は丁度向い合って２個になります。はみ出している溶水器の分だけ除いて、その上や下、そしてスピーカーの部分以外外廻りは全部タキロンにて密閉した方がいいでしょう。判り易い様メの符号は、ハンドマイクのスピーカーの位置を書いてありますが、そのスピーカー又はハンドマイクも１個だけではなく、合計４個も構いません。只地域に依って電線を引くのにとてもお金の掛かる地域はハンドマイクでも構いません。問題の焦点は少しの雨や風にバランスが崩れる機械ですから、雨風を小屋の中に入れたくないのです。図面が前後して居りますが、図面の８Ｐと９Ｐ１２図と１３図には電線の引ける地域に限って、その電灯アの付いた符号が付いていますが、外廻りを全部密閉した図面になるとその灯の位置も見えなくなります。もし簡単に電線を引ける地域だったら、はみ出している溶水器の上にも灯があれば日の短くなった時や余りにも空が曇って明るさが薄い時などスイッチを入れたら、電灯がつくスタイルがいいですね。朝早くも夕方暗くなっても灯があると貯水槽からポンプを使ってはみ出している溶水器に水を汲み上げる事が出来ますね。電灯のない地域は頭に電灯をつけて水を汲む事も可能ですね。又本日の作業終了には水を溜め、ハンドマイクの場所はそのスイッチを切り、明日の作業開始には水を出すのとハンドマイクのスイッチを入れる事ですね。タキロンのドアは必ず閉める事を忘れてはなりません。文章を書く流れの都合上遅くなりました図面の６Ｐ図９に書いてあるＧ２は機械の動きで振動するのとバランスを維持する為のほんの少しの風も防ぐ為の防護柵です。それを支えるのがＮ１になる支ですが、このＮ１はあくまでもＫ地点の柱のある場所からＣ１の方向を書いた図面です。Ｎ１はＧ２を支えるものですが、このＮ１はタキロンの出入口が両側にある為、場所が限定になります。その左側のＮ１はあくまでもＣ１の場所とＫの柱の横になりますね。そして右側にあるＮ１は全部１の柱に打ちつけるそんな限定になります。
大変遅ればせ乍ら、鐘の叩く高さが地面より鐘の中心が２１４０ｍｍ位、Ａ１の支点の柱の根本より１９７０ｍｍ位になります。
１０Ｐ図１５を追加する様な形を取りました。図面の６Ｐ９図に似て居りますが、細い部分がたくさん有り過ぎて書き切れない部分と、季節限定にてある農業資材関係の陳列する機会を待ち続けた原因もあります。図面の１１Ｐ図の１５は、あくまでも断面図です。Ｘ２の符号は上桁の符号です。柱の間隔や重量や巾、及び高さに至る迄、チェックなしでは書く事も出来ませんでしたが、その姿を拝見し、図面１１Ｐ図の１５にロと言う符号をつけて書いてあります。ローリングタンクで全部プラスチック製で５００Ｌ入りの溶水器です。やはり排水口が直径３０ｍｍと太く、このままでは使えませんが、とある水道屋の社長と逢って排水を細く、２段階まで細く排水出来得る契約が取れたのと、プロパンガスの空容器も中々一般の人には手に入り難い事も前に書いてありますが、会う人が変り、その道のルートを辿れば、プロパンガスの容器も作ってから１０年間使用すると耐用年数で期限切れとなる事を知り、一般の人にも手に入り易く成る事を知り、あえてガスボンベのガの符号を持ってチェーンで吊っているのを書きました。図面１１Ｐ図１５に、ニと言う符号の柱とヒと言う符合の柱が出ました。何れも判り易く西のニ、東のヒがその符号ですが、図面４Ｐ図７や５Ｐの図の８、６Ｐの図９等に書いてある溶水器は何れも３５０Ｌ入れの図面ですが、４００Ｌ入れの蓋のない溶水器も見る事が出来ました。どちらの溶水器も乗せても良い様に重さ、広さ等配慮してあります。
図面１１Ｐの図１５はニ通りの柱の外面からヒ通りの柱の外面まで２２３５ｍｍとします。何の柱も１０５ｍｍ角を用いて、ｉ通りの柱はその中心となります。ニ通りの柱の内側とｉ通りの柱の内側は９６０となります。ｉ通りの柱の内側より、ヒ通りの柱の内側も同じく９６０ｍｍです。只４００Ｌ入りの溶水器を使用した場合は、１４時間使用可能と成ります。５００Ｌ入りの溶水器を使用する場合は、充分水があるので、１時間に２２回音を出しても１４時間は持ち続ける事になる。間隔が狭くなる１６３秒に１回の割合が可能に成る。何れの場合にも、冬期間は水を抜くと非常に良い事と思う。何れの地でも凍る心配がない事に成る。余り冷えると氷は破裂すると容器が壊れるからです。蓋のない溶水器は、はみ出し部分を完全に蓋をして、更に重りを乗せる様にしましょう。図面１１Ｐの図１５にプロパンガスの容器が吊っているので、ここで改めて、その側面の図面を追加する形の様に成ります。それはプロパンガスの容器を設置した場合は、横に吊っても直径が３００ｍｍあります。その分、機械の位置を移動する事に成り、小屋関係少しばかり変る図形と成るからです。無論移動した場合、それに伴って基礎コンクリートも、しっかりやるのが当然と成ります。
図面１２Ｐの１６図が図面９Ｐの図１３と似て居りますが、ロの符号が付いて、ローリングタンク５００Ｌ入りの溶水器です。支点Ａ１の真上にプロパンガスの空容器が吊られているガスのガの符号です。マンホールの蓋より直径が２００ｍｍ分少ない為、芯で１００ｍｍ上に上る事に成ります。
小屋の側面から見た図が１２Ｐの１６図ですが、今やっと書ける機会が来ました。Ｋの柱の外面よりツの柱の外面まで２７２０ｍｍです。ｉの柱はど真中で何れの柱も１０５ｍｍ角と成りますので、柱の内々で左右共、１２０２．５ｍｍとなります。ここで建物の高さですが、土台の上端より下桁の下端まで２０００ｍｍあれば充分間に合いますが、屋根の高さの一番低い所だけ基準にした高さを２５２０としましょう。それは富山県や新潟県の様にとても雪の多い地域では、小屋と言えども一晩に７００ｍｍ以上も降る様な地域では、下桁も上桁も寸法が多くなると束の高さも、当然変る筈です。此の明細書が開示を求められても、必ず雪の少ない地方の人と限らないので、下桁より上は変るので、わざと点線にしてあります。１２Ｐ１６図にマと言う符号で、その中間にある束を支える間梁と成る由です。
図面１３Ｐ１７図ンはタキロンです。外巡り全部タキロンで密閉します。ハンドマイクの部分を除いて、出入口はきちんと２ケ所開閉出来る様、しかも風でバタバタしない様、上下２ケ所以上きちんと閉まる様な設備をやって、夜中にいたずら等ない様、各ドアにロック等も必要となるでしょう。図面１３Ｐ１７図のンはタキロンの符号です。柱の外面に直に横打となりＮ１がその支えとなり得る為、上下共ビス留めの図を書いているのです。最後の方になって、図面の１１Ｐそして１２Ｐと２枚に渡って１５図１６図と、あくまでも５００Ｌ入りのローリングタンク使用とガスボンベの空容器を使用した場合の図面ですが、問題は此の機械装置には２通りのタイプがあると言う事です。終わりに近づく様に成って、図面の１Ｐ１図にある２ケ所のＮ１は外巡りのタルキより、防護棚のベニヤ板を突き破って支えている事を意味して居ります。
【図１】
0003137823.tif 000003
【図２】
0003137823.tif 000004
【図３】
0003137823.tif 000005
【図４】
0003137823.tif 000006
【図５】
0003137823.tif 000007
【図６】
0003137823.tif 000008
【図７】
0003137823.tif 000009
【図８】
0003137823.tif 000010
【図９】
0003137823.tif 000011
【図１０】
0003137823.tif 000012
【図１１】
0003137823.tif 000013
【図１２】
0003137823.tif 000014
【図１３】
0003137823.tif 000015
【図１４】
0003137823.tif 000016
【図１５】
0003137823.tif 000017
【図１６】
0003137823.tif 000018
【図１７】
0003137823.tif 000019
【手続補正書】
【提出日】平成19年10月1日(2007.10.1)
【手続補正１】
【補正対象書類名】実用新案登録請求の範囲
【補正対象項目名】全文
【補正方法】変更
【補正の内容】
【実用新案登録請求の範囲】
【請求項１】
中心となる支点とバケツをぶら下げている地点と反対側の叩き棒を待機している地点とからなるシーソーを設け、前記シーソーの上部に前記シーソーのバケツに水を注水するためのタンク状の溶水器を設け、前記シーソーの下方に溶水器からの注水により回転してきたバケツをひっくり返す地点を設けると共に前記シーソーの上方にバケツの回転により反対側の前記叩き棒が叩くマンホール蓋を設けて前記シーソーの回転により定期的に前記叩き棒で前記マンホール蓋を叩くように構成し、そして前記シーソーの周囲を風から守る防護柵を設け、更に全体を作業小屋の外囲いで覆ったことを特徴とする熊寄付防止自動定期音響装置機械。
【手続補正２】
【補正対象書類名】明細書
【補正対象項目名】全文
【補正方法】変更
【補正の内容】
【考案の詳細な説明】
【技術分野】
【０００１】
本考案は、シーソーを利用し、高度な技巧で定期的に音を出し、熊の寄せ付けを防止する熊寄付防止自動定期音響装置機械に関する。
【背景技術】
【０００２】
実の処、昨年度のニュースでは全国で一年間、熊の出没件数が６５００回、その内被害に合った人３８７人、３８７人の中には死亡した人もたくさんいると聞いて居ります。一人でも人の生命は尊いものです。一人でも救ってあげたい、その信念で此の機械の発明に私を動かせました。
【考案の開示】
【考案が解決しようとする課題】
【０００３】
本考案は、シーソーを利用し、高度な技巧で定期的に音を出し、熊の寄せ付けを防止する熊寄付防止自動定期音響装置機械を提供することを目的とする。
【課題を解決するための手段】
【０００４】
本考案の熊寄付防止自動定期音響装置機械は、中心となる支点とバケツをぶら下げている地点と反対側の叩き棒を待機している地点とからなるシーソーを設け、前記シーソーの上部に前記シーソーのバケツに水を注水するためのタンク状の溶水器を設け、前記シーソーの下方に溶水器からの注水により回転してきたバケツをひっくり返す地点を設けると共に前記シーソーの上方にバケツの回転により反対側の前記叩き棒が叩くマンホール蓋を設けて前記シーソーの回転により定期的に前記叩き棒で前記マンホール蓋を叩くように構成し、そして前記シーソーの周囲を風から守る防護柵を設け、更に全体を作業小屋の外囲いで覆ったものである。
【考案の効果】
【０００５】
本考案は、シーソーなる遊具を利用し、それを遥かに超えたバランスを利用して人が最初と最後の作業を面倒見ると一日何時間でも自動的に作業すると言う画期的な発明と言えるでしょう。最初と最後と言うのは、一年中明るい時間と暗い時間が一定でない事です。その為、その時期に依って夜明けと日没が変るから音を出す時間も異なるから、その時々に合わせて水を汲み上げたり止めたりする人、いわば管理人と言いましょうか、その管理人の作業開始が最初です。作業終了は水を止め電気の引いてある地域は消灯し、ハンドマイクのスイッチを切る事です。若し運悪くして電気の引く事の出来ない地域にも、頭に電池をつけた灯さえ備えればそれでもこの機械は稼動する事も可能と成って居ります。今や町まで出れば単１から単４までアルカリ電池は簡単に買えます。只此の機械を設置したら軽トラックに発動機付ポンプを持って汲み上げるのも仕事に成って居ります。何れにせよ、熊は冬眠する動物ですので冬期間はお休みと成ります。管理する人も一人ではなく二人居て、時々交代する様にした方が望ましいと思われます。
【考案を実施するための最良の形態】
【０００６】
本考案の熊寄付防止自動定期音響装置機械の一実施例を添付図面に基づいて、以下に説明する。
図１は本考案の熊寄付防止自動定期音響装置機械がまだ始動していない待機状態の図面である。Ａ地点は支点、Ｂ地点はバケツＤをぶらさげている地点、Ｃ地点は水平より少し下げて着地し、次の作業に入る迄、待機している地点である。バケツＤは図７の溶水器Ｏに貯水された水がバケツＤに注入される仕組みになっている。Ｅ地点は図３のバケツＤに一定量の水が入ると、Ｂ地点とバケツＤも円を描いて下っていくと同時にＣ地点から叩き棒タが円を描き上っていき乍らマンホール蓋Ｇにぶつかる様な仕組みになっている。蓋Ｇに当った時を同じくして図６のＥ地点ではバケツＤがひっくり返り、水が排水されてバケツＤが軽くなる。バケツＤが軽くなっても、本来はあくまでもシーソーそのものだから右地点と左地点は真中の支点Ａに依ってバランスが均等に保たれている証明でもあるので、一旦Ｂ地点とバケツＤが下っている時は叩き棒タが蓋Ｇ地点にあって戻る事が出来ない。このシステムも自分で作って自分で実験し初めて知り得た発見であり、叩き棒タの下に鉄の重りＨ１を取り付けることにより、又元の始動前の体勢に戻り、それを一日中何回も何百回もくり返し作業して人が水を止めて本日の作業終りとなる仕組みとなります。
【０００７】
図２に支点Ａの部分を大きく書いてあります。市販されている台車の部品を用い、逆にしてタイヤを除外した状態に中心になる点線の部分に自分で作ったステンレス製の板金加工をしてシーソーの板にボルト締めしたものです。図３はＢ地点より針金バでぶら下っている四角のバケツＤです。此の四角のバケツＤは某商店から買い求めましたが、買った時は縦、横、深さ全部２３０ｍｍでした。図７の溶水器Ｏに貯水された水を注入する由です。作業工程上やむなくその深さを７５ｍｍに限定する事が一番の好都合である事も何回も何回もの実験をして初めて知り得た事でした。縦、横、高さがオール２３０ｍｍだったバケツＤを箱鍋と呼ばせて頂こう。シーソーを利用した形態ではあくまでもバランスが第一の条件となります。排水時の事を考慮して箱鍋の深さを７５ｍｍと切断加工し、穴を開け、針金を通したら、箱鍋そのもののバランスが崩れている事に気付きました。こんな事も実験を得て初めてその発見を見ましたが、逆に言うとそんな危険な鍋は売っていないとも言えるでしょう。
【０００８】
図３に書いてあるのは、バケツＤの箱鍋の図面ですが箱鍋そのもののバランスを取る為に点線のある断面図の様に両側に木で三角状の端から端まで全ねじで上下２段締め付けしてバランスを保って居ります。
図６のバケツＤは排水の時のバケツＤの箱鍋が傾向いた状態の図面ですが、下の点線が水を捨て易くなっています。そして、一番戻り易い状態も実験で証明されました。Ｅ地点のある場所も高さもそして位置関係も下の位置や高さも、そして図５にある様に下のＧ１地点から点線で排水口に流され、更に流された水は再利用される様に設計されてあります。そして図５のＧ１地点にあたる個所は本来４ケ所あります。図１にもありますが、地面の高さＨより出ている様子に書いてありますが、図５のＨは地面の高さになります。Ｇ１地点の各部分は地中よりコンクリートが示したものにアンカーボルトが断面的に書かれてありますが、コンクリートの上の部分は角材にアンカーボルトが入っている断面です。
【０００９】
図７のカ地点は溶水器Ｏの水を出したり止めたりする所です。Ｏは溶水器で全部プラスチック製です。横が１３００mm、縦が８００ｍｍ、深さが７５０ｍｍで３５０Ｌ入ります。排水口は完全にねじ製でおよそ３０ｍｍ位の太さになっている為、そのままでは使用出来ません。配水される３０ｍｍの出口にもっと排水のスピードを遅らせる為に細く流れる仕組みのプラスチック製の排水出来る部品を取り付け、その場所に水の供給・停止と出口一つで両方可能な遮断機を取り付けなければなりません。それが図７のカ地点がその場所です。符号ゴがゴムホース、該ゴムホースの先端にもっと細いビニールホースで瞬間接着剤をつけ、挿入して更にスピードを落し、箱鍋に一回分作業する時間を２分３０秒に設定する。箱鍋には一回分１．０５Ｌ入れば作動する事になっている。
【００１０】
図７（左側）−図８（右側）にまたがった形に書かれているのはプラスチック製の溶水器Ｏです。横が１３００ｍｍあるのでわざと柱Ｋよりもそして桁Ｕより外にはみ出して、雨が降った際、そこには屋根よりいくらかでも溜る様な設計にしてあります。そんな事で図８にはＱに該当する柱と柱Ｋに繋がる筋かいＮもやって居ります。又各柱に当る足元には各々コンクリートを設置し重量にも耐える設計になって居ります。図８のＹは下桁、図７〜図８にわたって溶水器Ｏが横長１３００ｍｍになって居ります。此の溶水器Ｏには最初から蓋がありません。蓋を設置する場合には図７〜図８に図示してある様に、鉄筋棒を縦横共に電気溶接し、その上に亜鉛した金網又は緑色な金網もあります。それなどをきちんと張り、いかなる事があっても子供又や老人など水槽に落ちたら危険になり、手遅れになると死亡につながります。排水された水は再利用する為、使い捨てのお風呂の水槽でもかまいませんが、１個又は２個取り付けても必ず水槽の蓋には上からは水が入る為、人が落ちない様に必ず鉄筋の電気溶接して、その上に落葉や其の他のゴミ等網をしないと危険になります。そして蓋には必ずチェーンで締めロックして、この機械を管理する人がその鍵を保管する様にしましょう。
【００１１】
図９は溶水器Ｏの根足になる柱Ｋの地点よりＣ、Ｃ１方面（図８から図７方面）を見た断面図です。断面図を書いて色々な符号の附いた個所が登場して来ます。根足となるＺ、Ｚ１通りは図７、図８に描いてあるｉ、Ｊ、Ｋ、Ｑ通りに交差する４ケ所のつまりＺ通りと交差する４ケ所には柱なる根足が入ります。無論Ｚ１通りも交差する地点４ケ所根足が立ちます。
図９で細かくて判り難いがＣ１とＡ１は垂直に立ち、作業開始から終了迄百数十回とシーソーが着地します。その度にＡ１とＣ１地点は強い衝撃を受けます。その為には、図１に示す筋かいなるＦ１も桁Ｎ１も支える為のものです。図７〜図９まで溶水器Ｏの各図が書いてありますが、図１のＧ１と書かれている部所はコンクリートです。図７のＹと書いてあるのは断面ですが、図１に該当するので遅ればせ乍ら追加する様な状態で、アンカーボルト入りのコンクリートを追加します。図９のＹ１は角材を示すものです。図９にあるｉは柱です。上まで高くなっているのを示しております。その柱の上にＸなる下桁が一部分書かれてＸ１は束に当ります。Ｕ１は母屋に当ります。図１の上に当りますが母屋とタルキの図が書かれて居りませんが、番線１０番のなまし線がほんの一部マンホールの蓋Ｇなるものに２０ｍｍ間隔の穴４個を通して曲げて結んで吊っている姿が充分ではありませんが描いています。一般の人に若し手に入る事が容易ならプロパンガスの入っている２０ｋｇ入りの容器はもっといい音が出ます。
【００１２】
図９の防護柵Ｇ２ですが、此のシーソーのでっかくて高度な要求が充たされなければ何の意味もありません。防護柵Ｇ２は此の機械があくまでも左右のバランスが生命です。少しの風や雨に依ってそのバランスが崩れるのを防ぐ為と振動に依って垂直に立っている形を維持する事に働くいわば防護柵です。でも上の方は音が出るので、その下あたりで止めてあります。更にその防護柵Ｇ２を支える為に桁Ｎ１が数ケ所設けてあります。
【００１３】
図５、図６と書かれてありますが、明細書の文を読み易くする為に順を追って書いたつもりですが忘れてならないのが、図５をもっと詳しく書いたのが、図１０です。図６ではバケツＤの箱鍋がひっくり返っている様子ですが、その前提が図５には書かれておりません。その姿だけを書いてありますが、あくまでも紹介という形です。図１０は作業に入り図６に入るほんの少し手前の様子を描いたものです。バケツＤの箱鍋がＥ地点に当っている様子ですが、これも皆各々計算され、何回も何回も実験された上で出来た位置関係や高さ、そして符号もＡ、Ｂ、Ｃでは書き切れなくなったので、日本語の符号を付けたのがナの符号が始まりです。斜めのナを取ってつけた符号です。Ｅ地点でバケツＤが当った場所は、左の方よりＡ１とＣ１の方を意味します。その根元の板より８９ｍｍ下っております。Ａ１地点より右に６９０ｍｍ離れて３７ｍｍの板に支えられて、１８０ｍｍの上の方が少し斜めの板が立っています。バケツＤがこの板に当る時はバケツＤの底の半分より少し右に当る様に設計して実験済です。それに伴って、バケツＤなる箱鍋を吊り下げている針金の太さ亜鉛引きの１０番線なめしで長さがＢ地点の板より箱鍋の穴まで２６５ｍｍになって折り曲げた穴の部分が１５ｍｍ折り返した長さが両方共１１５ｍｍになって居ります。箱鍋がひっくり返った時、その曲げた長さも何度も何度も実験の結果、一番都合が良い長さです。その箱鍋を吊り下げている針金も日本語で番線から得たバの符号を取り付けました。更に排水された水を再利用する為にＦ地点の下にハの符号の付いた排水設備なるパイプが日本語で排水のハの符号を取り付けました。
【００１４】
図１１は排水された水が再利用される為に取り付ける為の水槽チです。符号はチと書いてありますが、Ｈの符号は地面の高さを表わしているから、殆んどが土の中に埋められています。その蓋フにはやはり鉄筋を縦横電気溶接して亜鉛引きの金網をしっかりかぶせてその金網を何ケ所も縛り付ける様にする。子供や老人、又は水があるから動物が水を求めて来る可能性もあります。この埋められた水槽チは一個でも二個でも構いません。しかも一度お風呂に使用された物でも構いません。只符号の名前が貯水出来ればいいので貯水のチと符号を付けました。
【００１５】
今まで図１〜１１図まで符号を付けて書いて来ましたが、長さとか厚さとか太さとがその数字に殆んど書かれて居りません。これからその数字を書きましょう。図１のＡ１の柱はシーソーその長さのど真中の位置にあります。そのシーソーの少し分厚い板は厚さ３７ｍｍ、巾は１４０ｍｍ、長さは１８２０ｍｍになって居ります。此の図１では余りにも板が細過ぎてうまく書けない部分が図３にＢ地点の板の先端にちょっと印のある部分ホ、日本語でホと書かれている部分、板を少しでも軽くしたいのであらかじめ巾は１４０ｍｍと書いてあるその通りですが、Ｂ地点より箱鍋を吊り下げる時、箱鍋の巾も奥行も２３０ですので、１４０ｍｍは巾板では吊り下げるバの符号のある針金に負担が掛かります。そこで先端の両側に厚さが同じ補助板を取り付け、吊り下げる針金のバランスを作った板、つまりホと書いているのは補助板ホという事です。
【００１６】
又図１に戻りますが、柱Ｃ１のシーソーの板が着地した場合のＣ１の地点ですが、実際はＣ地点の叩き棒の下にシャックルを取り付け、鉄の重りをぶらさげている図が図４に書かれています。その為、着地点である図１に書いてあるＣ１の立っている柱は、上の板の端Ｃ地点の位置を１２０ｍｍＡ１寄りに立っている状態です。そして、シーソーが着地した際に少しでもショックを少なくしようとＣ地点の上の部分にはソフトなゴムを打ちつけてあります。図１で下の部分はやはり３７ｍｍの段差があって、詳しくは図１０がもっと詳しい形になって居ります。下の地点は、およそ６０ｍｍ離れてナの符号が付いている斜め板ナが３０°になって居ります。バケツＤの水が排水しやすく、そしてすぐに戻り易い体勢になっているのですが、水がほんの少し残ります。それが功を奏して２回目から２分３０秒１回にバケツに入る水の量は１．０５Ｌ、１時間に１８回鐘を叩く事になります。３５０Ｌ入りの溶水器Ｏに満タンに水を入れた場合、およそ始動から１３時間は持つ計算にはなりますが、実際の処、私は自分の家にあった７５Ｌ入りの石油タンクを使用して実験しました。それは石油ストーブに実際取り付けるゴムホースも先端に取り付けるホースも簡単に手に入り易いので、それで実験を何回も何十回も出来ました。でも３５０Ｌ入れの溶水器Ｏは、実験には使用して居りません。何故なら排水するのに出る水の量を調節するには、やはり製造元にお願いして、その部品と水を止めたり出したりする装置も一緒に作って戴くしか手段はありません。私の考えでは水量が３５０Ｌ入る溶水器Ｏに満タンに入れた場合、水圧が変る筈です。ゴムホースと水を細くする装置を付けても中々圧力は変え難いものと思って居ります。従って満タンに入ったとすればもっと１回分の水の出が早くなり、ひょっとして１時間に１９回もしくは２０回叩く様な事になり、結果的には一日１２時間持つか１１時間半になる可能性も充分ある事に考えざるを得ません。
【００１７】
図１ですが、Ａ１の柱の高さ、足元の横に四角い支があって、その根元から８１０ｍｍです。３７ｍｍの台を乗せて台車についていたタイヤをはずし、逆に立っているもののセンターにステンレスの板を巻きつけてシーソーにボルト締めしている高さまでが２０５ｍｍとなっています。つまりＡ１全部の高さは下から８１０＋３７＋２０５＝１０５２ｍｍがＡ地点になります。Ｃ地点はそれより少し下った感で１０３２がその高さＣ１の全体の高さになります。続いて図９になりますが、風を防ぐ防護柵Ｇ２の巾です。Ｇ２で示してありますが、箱鍋がスムーズに上下作業をするので巾２６０ｍｍ、つまり防護柵Ｇ２の左側と防護柵Ｇ２の右側の間が２６０ｍｍ必要という事です。図９は断面図でありますが、万一故障に備えて人がその場所に手が入る様に３ケ所位その様な小さな扉をつけてあります。それが図１２になります。今度は鐘Ｇになりますが、図９になりますが、鐘はＧに当ります。まともに見えるのが図９になりますが、昨年から平成１９年の春頃まで町や村の半鐘があっちこっちと、たくさん盗まれているニュースを知り、余り上品な音とは縁遠いかも知れませんが、盗まれる％が極めて少ないと思い、又簡単に手に入り易い事でマンホールの蓋Ｇを番線で吊下げました。およそ直径が５００ｍｍ、厚さは１２ｍｍ位で重さは４５ｋｇあります。
【００１８】
図４になりますが、符号がタになっているものが叩き棒タです。内側４８０ｍｍ、外側の真中に角度をつけて折れて先端は鐘Ｇを叩く角度を合わせたものですが、外側は５２０ｍｍになっております。音にいい様に良質の杉の潅木を用い、何度も何度も実験済みですが、横から見た図でその太さは１００ｍｍ×先端で８０ｍｍとなって居ります。音を出して、又戻る為にその叩き棒タの下のシャックルに鉄の重りＨ４個を吊り下げてあります。その重り１個分が４１０ｇ×４＝１６４０ｇになり、シャックルの１個分が１７０ｇ、合計で１８１０ｇになります。つまり叩き棒タは図４のタの符号のついているものも丁度１８１０ｇになります。図１２は風を防ぐ為と上下作業の際の振動に依り垂直に立っているのを維持する為の支えでもありますが、作業に当ってその機械の故障時又はＡの部分の少し下に台車の部品のセンター部分ですが、時々油をつける為の扉でもあります。左の扉はやはり振動に依りソフトなゴムが減る事もあります。それは冬期間に取り替えが良いでしょう。各扉にコと符号が付いて居りますが、故障の為に開け閉めする、又は点検するという事です。
【００１９】
次に図１３ですが、作業小屋の大きさを表したものです。建物の都合上、やむなく横書きに成りました。ここに登場したのがツの符号の付いた柱ツですが、Ｋと言う柱とツという柱の外面と外面で２７２０ｍｍとなると、とても理想的な寸法と思って設計しました。建物の土台になる角材には要所要所にアンカーボルトＹ１の位置が書かれてあります。
そして、屋根は片屋根スタイルで、符号は屋根のヤと成っています。片屋根スタイルはわざとはみ出しして、溶水器Ｏに雨が降った時、少しでも溜る様、そんな設計にしてあります。そして、外廻りは全部透明なタキロン貼りにして出入口は２ケ所、人が入れる様にした図面が図１４になります。出入口デは表と裏の２個になります。はみ出している溶水器Ｏの分だけ除いて、その上や下、そしてスピーカーの部分以外外廻りは全部タキロンにて密閉した方がいいでしょう。判り易い様メの符号は、ハンドマイクのスピーカーの位置を書いてありますが、そのスピーカー又はハンドマイクも１個だけではなく、合計４個も構いません。只地域に依って電線を引くのにとてもお金の掛かる地域はハンドマイクでも構いません。問題の焦点は少しの雨や風にバランスが崩れる機械ですから、風雨を小屋の中に入れたくないのです。図面が前後して居りますが、図１２と図１３には電線の引ける地域に限って、その電灯アの付いた符号が付いていますが、外廻りを全部密閉した図面になるとその灯の位置も見えなくなります。もし簡単に電線を引ける地域だったら、はみ出している溶水器Ｏの上にも灯があれば日の短くなった時や余りにも空が曇って明るさが薄い時などスイッチを入れたら、電灯がつくスタイルがいいですね。朝早くも夕方暗くなっても灯があると貯水槽からポンプを使ってはみ出している溶水器Ｏに水を汲み上げる事が出来ますね。電灯のない地域は頭に電灯をつけて水を汲む事も可能ですね。又本日の作業終了には水を溜め、ハンドマイクの場所はそのスイッチを切り、明日の作業開始には水を出すのとハンドマイクのスイッチを入れる事ですね。タキロンのドアは必ず閉める事を忘れてはなりません。
【００２０】
図９に書いてある防護柵Ｇ２は機械の動きで振動するのとバランスを維持する為のほんの少しの風も防ぐ為の防護柵です。それを支えるのがＮ１になる支ですが、このＮ１はあくまでもＫ地点の柱のある場所からＣ１の方向を書いた図面です。支Ｎ１は防護柵Ｇ２を支えるものですが、この支Ｎ１はタキロンの出入口が両側にある為、場所が限定になります。その左側の支Ｎ１はあくまでもＣ１の場所とＫの柱の横になりますね。そして右側にある支Ｎ１は全部Ｉの柱に打ちつけるそんな限定になります。
大変遅ればせ乍ら、鐘Ｇの叩く高さが地面より鐘の中心が２１４０ｍｍ位、Ａ１の支点の柱の根本より１９７０ｍｍ位になります。
【００２１】
図１５を追加する様な形を取りました。図９に似て居りますが、細い部分がたくさん有り過ぎて書き切れない部分と、季節限定にてある農業資材関係の陳列する機会を待ち続けた原因もあります。図１５は、あくまでも断面図です。Ｘ２の符号は上桁Ｘ２の符号です。柱の間隔や重量や巾、及び高さに至る迄、チェックなしでは書く事も出来ませんでしたが、その姿を拝見し、図１５にロと言う符号をつけて書いてあります。ローリングタンクで全部プラスチック製で５００Ｌ入りの溶水器ロです。やはり排水口が直径３０ｍｍと太く、このままでは使えませんが、某水道屋の社長と逢って排水を細く、２段階まで細く排水出来得る契約が取れたのと、プロパンガスの空容器も中々一般の人には手に入り難い事も前に書いてありますが、会う人が変り、その道のルートを辿れば、プロパンガスの容器も作ってから１０年間使用すると耐用年数で期限切れとなる事を知り、一般の人にも手に入り易く成る事を知り、あえてガスボンベのガの符号を持ってチェーンで吊っているのを書きました。図１５に、ニと言う符号の柱ニとヒと言う符合の柱ヒが出ました。何れも判り易く西のニ、東のヒがその符号ですが、図７や図８、図９等に書いてある溶水器Ｏは何れも３５０Ｌ入れの図面ですが、４００Ｌ入れの蓋のない溶水器も見る事が出来ました。どちらの溶水器も乗せても良い様に重さ、広さ等配慮してあります。
【００２２】
図１５はニ通りの柱ニの外面からヒ通りの柱ヒの外面まで２２３５ｍｍとします。何の柱も１０５ｍｍ角を用いて、ｉ通りの柱ｉはその中心となります。ニ通りの柱ニの内側とｉ通りの柱ｉの内側は９６０となります。ｉ通りの柱の内側より、ヒ通りの柱の内側も同じく９６０ｍｍです。只４００Ｌ入りの溶水器を使用した場合は、１４時間使用可能と成ります。５００Ｌ入りの溶水器ロを使用する場合は、充分水があるので、１時間に２２回音を出しても１４時間は持ち続ける事になる。間隔が狭くなる１６３秒に１回の割合が可能に成る。何れの場合にも、冬期間は水を抜くと非常に良い事と思う。何れの地でも凍る心配がない事に成る。余り冷えると氷は破裂すると容器が壊れるからです。蓋のない溶水器は、はみ出し部分を完全に蓋をして、更に重りを乗せる様にしましょう。図１５にプロパンガスの容器ガが吊っているので、ここで改めて、その側面の図面を追加する形の様に成ります。それはプロパンガスの容器ガを設置した場合は、横に吊っても直径が３００ｍｍあります。その分、機械の位置を移動する事に成り、小屋関係少しばかり変る図形と成るからです。無論移動した場合、それに伴って基礎コンクリートも、しっかりやるのが当然と成ります。
【００２３】
図１６が図１３と似て居りますが、ロの符号が付いて、ローリングタンク５００Ｌ入りの溶水器ロです。支点Ａ１の真上にプロパンガスの空容器ガが吊られているガスのガの符号です。マンホールの蓋Ｇより直径が２００ｍｍ分少ない為、芯で１００ｍｍ上に上る事に成ります。
小屋の側面から見た図１６ですが、今やっと書ける機会が来ました。Ｋの柱の外面よりツの柱の外面まで２７２０ｍｍです。ｉの柱はど真中で何れの柱も１０５ｍｍ角と成りますので、柱の内々で左右共、１２０２．５ｍｍとなります。ここで建物の高さですが、土台の上端より下桁の下端まで２０００ｍｍあれば充分間に合いますが、屋根の高さの一番低い所だけ基準にした高さを２５２０としましょう。それは富山県や新潟県の様にとても雪の多い地域では、小屋と言えども一晩に７００ｍｍ以上も降る様な地域では、下桁も上桁も寸法が多くなると束の高さも、当然変る筈です。此の明細書が開示を求められても、必ず雪の少ない地方の人と限らないので、下桁より上は変るので、わざと点線にしてあります。図１６にマと言う符号で、その中間にある束を支える間梁マと成る由です。
【００２４】
図１７はタキロンです。外巡り全部タキロンで密閉します。ハンドマイクの部分を除いて、出入口はきちんと２ケ所開閉出来る様、しかも風でバタバタしない様、上下２ケ所以上きちんと閉まる様な設備をやって、夜中にいたずら等ない様、各ドアにロック等も必要となるでしょう。図１７のンはタキロンの符号です。柱の外面に直に横打となり支Ｎ１がその支えとなり得る為、上下共ビス留めの図を書いているのです。最後の方になって、図１５、図１６と、あくまでも５００Ｌ入りのローリングタンク使用とガスボンベの空容器を使用した場合の図面ですが、問題は此の機械装置には２通りのタイプがあると言う事です。終わりに近づく様に成って、図１にある２ケ所の支Ｎ１は外巡りのタルキより、防護棚Ｇ２のベニヤ板を突き破って支えている事を意味して居ります。
【図面の簡単な説明】
【００２５】
【図１】本考案の熊寄付防止自動定期音響装置機械が待機状態の正面図である。
【図２】Ａ地点の拡大要部正面図である。
【図３】Ｂ地点の拡大要部正面図である。
【図４】Ｃ地点の拡大要部正面図である。
【図５】Ｅ地点の拡大要部正面図である。
【図６】Ｅ地点のバケツＤが傾倒状態の正面図である。
【図７】溶水器左側の拡大正面図である。
【図８】溶水器右側の拡大正面図である。
【図９】本考案の熊寄付防止自動定期音響装置機械の要部右側面図である。
【図１０】Ｅ地点のバケツＤが傾倒途中状態の正面図である。
【図１１】Ｅ地点の地下部分を示す正面図である。
【図１２】本考案の熊寄付防止自動定期音響装置機械の外囲を示す正面図である。
【図１３】本考案の熊寄付防止自動定期音響装置機械を裏側から見た背面図である。
【図１４】本考案の熊寄付防止自動定期音響装置機械の内囲を示す正面図である。
【図１５】本考案の熊寄付防止自動定期音響装置機械の他の実施例の右側面図である。
【図１６】本考案の熊寄付防止自動定期音響装置機械の他の実施例の背面図である。
【図１７】本考案の熊寄付防止自動定期音響装置機械の外囲を示す左側図である。
【符号の説明】
【００２６】
Ａ  支点
Ａ１  柱
Ｂ  バケツＤをぶらさげている地点
Ｃ  叩き棒タが待機している地点
Ｃ１  柱
Ｄ  バケツ
Ｅ  バケツＤがひっくり返る地点
Ｆ  排水設備
Ｆ１  筋かい
Ｇ  マンホール蓋
Ｇ１  コンクリート
Ｇ２  防護柵
Ｈ  地面の高さ
Ｈ１  重り
ｉ  柱
Ｊ  柱
Ｋ  柱
Ｎ  筋かい
Ｎ１  桁
Ｎ１  支え
Ｏ  溶水器
Ｑ  柱
Ｕ１  母屋
Ｘ  下桁
Ｘ１  束
Ｘ２  上桁
Ｙ  下桁
Ｙ１  角材
Ｚ  柱